(57)【要約】 【課題】再生動作への移行を迅速かつ円滑に行い得る光ディスク装置および光ディスクを提供する。【解決手段】ディスク内に配された記録層の層数を判別し（Ｓ１０２）、判別された記録層の層数が３つ以上のとき（Ｓ１０４：ＹＥＳ）、積層方向に並ぶ記録層のうち中央の記録層（Ｌｃ）をイニシャル記録層（Ｌｐ）として決定し（Ｓ１０５、Ｓ１０６）、再生移行前のスタンバイ状態において光ピックアップ装置を制御してレーザ光の焦点位置をイニシャル記録層に引き込んでおく（Ｓ２０２）。【選択図】図４
2009181614.tif 000002
【特許請求の範囲】
【請求項１】
ディスクにレーザ光を照射する光ピックアップ装置と、
前記ディスク内に配された記録層の層数を判別する層数判別部と、
前記層数判別部にて判別された記録層の層数が３つ以上のとき積層方向に並ぶ前記記録層のうち中央の記録層をイニシャル記録層として決定する記録層決定部と、
再生移行前のスタンバイ状態において前記光ピックアップ装置を制御して前記レーザ光の焦点位置を前記イニシャル記録層に引き込む再生先行処理部とを有する、
ことを特徴とする光ディスク装置。
【請求項２】
請求項１において、
前記ディスク内に配された記録層の層数が３つ以上で且つ偶数であるとき、前記記録層決定部は、中央の２つの記録層のうち一方を前記イニシャル記録層として決定する、
ことを特徴とする光ディスク装置。
【請求項３】
請求項２において、
前記ディスク内に配された記録層の層数が３つ以上で且つ偶数であるとき、前記記録層決定部は、中央の２つの記録層のうち、前記レーザ光の入射面側から見て奥側の記録層を前記イニシャル記録層として決定する、
ことを特徴とする光ディスク装置。
【請求項４】
積層方向に３つ以上の記録層を備え、
これら記録層のうち少なくとも中央の記録層に当該ディスクに記録された情報を管理する管理情報が記録されている、
ことを特徴とする光ディスク。
【請求項５】
請求項４において、
積層方向に３つ以上で且つ偶数の記録層を備え、
中央の２つの記録層のうち少なくとも一方に前記管理情報が記録されている、
ことを特徴とする光ディスク。
【請求項６】
請求項５において、
前記中央の２つの記録層のうち、前記レーザ光の入射面側から見て奥側の記録層に前記管理情報が記録されている、
ことを特徴とする光ディスク。
【請求項７】
ディスクにレーザ光を照射する光ピックアップ装置と、
前記光ピックアップ装置を制御して前記ディスクに情報を記録する記録制御部と、
前記ディスク内に配された記録層の層数を判別する層数判別部とを備え、
前記記録制御部は、前記層数判別部にて判別された記録層の層数が３つ以上のとき積層方向に並ぶ前記記録層のうち中央の記録層に当該ディスクに記録された情報を管理する管理情報を記録する、
ことを特徴とする光ディスク装置。
【請求項８】
請求項７において、
前記ディスク内に配された記録層の層数が３つ以上で且つ偶数であるとき、前記記録制御部は、中央の２つの記録層のうち一方に前記管理情報を記録する、
ことを特徴とする光ディスク装置。
【請求項９】
請求項８において、
前記ディスク内に配された記録層の層数が３つ以上で且つ偶数であるとき、前記記録制御部は、中央の２つの記録層のうち、前記レーザ光の入射面側から見て奥側の記録層に前記管理情報を記録する、
ことを特徴とする光ディスク装置。
【発明の詳細な説明】
【技術分野】
【０００１】
本発明は、光ディスクおよび光ディスク装置に関し、特に、積層方向に３つ以上の記録層が配された光ディスクおよびこの光ディスクに対し記録／再生を行う光ディスク装置に用いて好適なものである。
【背景技術】
【０００２】
近年、光ディスクの高容量化に伴い、記録層の多層化が進んでいる。一枚のディスク内に複数の記録層を含めることにより、ディスクのデータ容量を顕著に高めることができる。記録層を積層する場合、これまでは片面２層が一般的であったが、最近では、さらに高容量化を進めるために、片面に３層以上の記録層を配することも検討されている。ここで、記録層の積層数を増加させると、ディスクの高容量化を促進できるが、その一方で、記録層間の間隔が狭くなり、層間クロストークによる信号劣化が増大する。しかし、ターゲット記録層以外からの不要な光（迷光）を適正に抑制・除去できれば、積層数が３層以上になっても、円滑な再生動作を実現できる。
【０００３】
以下の特許文献１には、ピンホールを用いて迷光を除去する技術が記載されている。また、以下の特許文献２には、片面２層の情報記録媒体において層間スロストークの影響を防止する技術が記載されている。
【特許文献１】特開２００６−２６０６６９号公報
【特許文献２】特開２００７−０８０３６７号公報
【発明の開示】
【発明が解決しようとする課題】
【０００４】
複数の記録層を有するディスクを再生する場合、通常、ターゲット記録層に対するフォーカス引き込み（フォーカスサーチ）が行われ、その後、フォーカスサーボおよびトラッキングサーボが掛けられて再生が開始される。しかし、記録層の積層数が増加すると、ターゲット記録層に対するフォーカス引き込みに時間が掛かり、迅速に再生動作に移行できないとの問題が生じる。通常、フォーカス引き込みは、レーザ光のフォーカス位置をディスク表面よりも外側からターゲット記録層まで順次スキャンさせることにより行われる。しかし、この場合、ディスク表面から見て最も奥の記録層がターゲット記録層であると、フォーカス引き込みの際に、レーザ光のフォーカス位置を大きくスキャンさせる必要があり、フォーカス引き込みに長時間を要してしまう。
【０００５】
加えて、このようにディスク内に多数の記録層が配されると、ディスク表面から各記録層までの距離が記録層毎に相違するため、レーザ光における収差の生じ方が記録層毎に相違し、このため、ビームエキスパンダ等の収差補正手段を光ピックアップ装置内に配して、記録層毎に収差補正を行う必要がある。しかし、この場合、上記のようにターゲット記録層が最も奥にあると、収差補正の際に、エキスパンダを初期位置（ディスク表面に最も近い記録層に適応する位置）から最奥部の記録層に適応する位置まで大きく変位させる必要があり、このため、エキスパンダの駆動制御に長期を要することとなる。したがって、この点からも、迅速な再生移行が阻害されることとなってしまう。
【０００６】
その一方、この問題を回避するべくエキスパンダの駆動速度を速めると、それに伴って消費電力が高くなり、また、発熱量も増加する。このように発熱量が増加すると、光学系に悪影響を与える惧れがあり、さらには、高速駆動によってエキスパンダ駆動部から摩擦による粉塵等が生じると、この粉塵によって、エキスパンダの駆動に支障が生じる惧れもある。
【０００７】
本発明は、このような問題を解決することを課題とするものであり、再生動作への移行を迅速かつ円滑に行い得る光ディスク装置および光ディスクを提供することを目的とする。
【課題を解決するための手段】
【０００８】
本発明の第１の態様に係る光ディスク装置は、ディスクにレーザ光を照射する光ピックアップ装置と、前記ディスク内に配された記録層の層数を判別する層数判別部と、前記層数判別部にて判別された記録層の層数が３つ以上のとき積層方向に並ぶ前記記録層のうち中央の記録層をイニシャル記録層として決定する記録層決定部と、再生移行前のスタンバイ状態において前記光ピックアップ装置を制御して前記レーザ光の焦点位置を前記イニシャル記録層に引き込む再生先行処理部とを有することを特徴とする。
【０００９】
この態様に係る光ディスク装置によれば、再生移行前のスタンバイ状態において、レーザ光の焦点位置が積層方向に並ぶ３つ以上の記録層のうち中央の記録層に引き込まれるため、再生移行の際のレーザ光焦点位置の移動量を、最大でも、レーザ光入射面側に最も接近する記録層と当該入射面から最も離れた最奥部の記録層との間の距離の半分程度に抑えることができる。このため、再生対象のターゲット記録層がどの記録層であっても、レーザ光の焦点位置を迅速にターゲット記録層に引き込むことができ、再生開始までに要する時間を短縮することができる。
【００１０】
また、収差補正手段が上記のようにエキスパンダによって構成されている場合には、再生移行の際のエキスパンダの駆動量を最大ストロークの半分程度とすることができ、よって、エキスパンダの駆動状態をターゲット記録層に対応する状態に迅速に調整することができる。故に、この点からも、この態様に係る光ディスク装置によれば、再生移行の迅速化を図ることができる。
【００１１】
なお、本発明の第１の態様において、「スタンバイ状態」とは、たとえば、映画情報のメニュー画面が表示されている状態等、その後の操作によって再生動作へと移行する状態、すなわち、再生動作の前段階の状態のことをいう。ここで、再生動作移行前のどの段階までを「スタンバイ状態」に設定するかは、装置毎に適宜決定され得る事項である。
【００１２】
上記第１の態様に係る光ディスク装置において、前記ディスク内に配された記録層の層数が３つ以上で且つ偶数であるとき、前記記録層決定部は、中央の２つの記録層のうち一方を前記イニシャル記録層として決定する。この場合、前記記録層決定部は、たとえば、中央の２つの記録層のうち、前記レーザ光の入射面側から見て奥側の記録層を前記イニシャル記録層として決定するよう構成され得る。
【００１３】
本発明の第２の態様に係る光ディスクは、積層方向に３つ以上の記録層を備え、これら記録層のうち少なくとも中央の記録層に当該ディスクに記録された情報を管理する管理情報が記録されていることを特徴とする。
【００１４】
この態様に係る光ディスクでは、ディスクが装着された後の初期動作において、管理情報が記録された中央の記録層が読み出されるため、初期動作の後に、中央の記録層にレーザ光の焦点位置を容易に位置づけることができる。よって、この態様に係る光ディスクを上記第１の態様に係る光ディスク装置にて再生する場合、ディスク装着後の初期動作から再生動作に移行するまでのスタンバイ状態において、レーザ光の焦点位置を中央の記録層に円滑に位置づけることができる。
【００１５】
本発明の第２の態様に係る光ディスクが、積層方向に３つ以上で且つ偶数の記録層を備える場合、中央の２つの記録層のうち少なくとも一方に前記管理情報を記録することができる。この場合、たとえば、前記中央の２つの記録層のうち、前記レーザ光の入射面側から見て奥側の記録層に前記管理情報を記録することができる。
【００１６】
本発明の第３の態様に係る光ディスク装置は、ディスクにレーザ光を照射する光ピックアップ装置と、前記光ピックアップ装置を制御して前記ディスクに情報を記録する記録制御部と、前記ディスク内に配された記録層の層数を判別する層数判別部とを備え、前記記録制御部は、前記層数判別部にて判別された記録層の層数が３つ以上のとき積層方向に並ぶ前記記録層のうち中央の記録層に当該ディスクに記録された情報を管理する管理情報を記録することを特徴とする。
【００１７】
この態様に係る光ディスク装置では、記録層の層数が３つ以上のとき、中央の記録層に管理情報が記録される。したがって、この態様に係る光ディスク装置にて記録されたディスクがプレーヤに装着されると、その初期動作において、管理情報が記録された中央の記録層が読み出されることとなり、このため、初期動作の後、中央の記録層にレーザ光の焦点位置を容易に位置づけることができる。よって、この態様に係る光ディスク装置にて記録されたディスクを上記第１の態様に係る光ディスク装置にて再生する場合、ディスク装着後の初期動作から再生動作に移行するまでのスタンバイ状態において、レーザ光の焦点位置を中央の記録層に円滑に位置づけることができる。
【００１８】
上記第３の態様に係る光ディスク装置において、前記ディスク内に配された記録層の層数が３つ以上で且つ偶数であるとき、前記記録制御部は、中央の２つの記録層のうち少なくとも一方に前記管理情報を記録する。この場合、たとえば、前記中央の２つの記録層のうち、前記レーザ光の入射面側から見て奥側の記録層に前記管理情報を記録するようにすることができる。
【発明の効果】
【００１９】
以上のとおり本発明によれば、再生動作への移行を迅速かつ円滑に行い得る光ディスク装置および光ディスクを提供することができる。
【００２０】
本発明の特徴ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【発明を実施するための最良の形態】
【００２１】
以下、本発明の実施の形態につき図面を参照して説明する。本実施の形態は、青色波長帯のレーザ光に対応する記録層を３層以上有する光ディスクおよびその記録／再生装置に本発明を適用したものである。
【００２２】
図１に、記録層を３層有する場合のディスク１０の構造を示す。図示の如く、ディスク１０は、基板１１の上に、３つの記録層１２と、２つの中間層１３と、基板１４と、印刷層１５を順番に積層した構造を有している。
【００２３】
基板１１、１４は、ポリカーボネート等、波長４００ｎｍ程度のレーザ光を透過しやすい材料にて形成されている。この他、基板１１、１４を形成する材料として、ポリオレフィンや、ポリ乳酸等を主成分とする生分解性材料を用いることもできる。基板１１、１４上には、ピット列やグルーブ等からなるトラックが螺旋状に形成されている。これら基板１１、１４は、射出成型によって形成される。
【００２４】
ディスク１０がＲＯＭ（Read Only Memory：再生専用）媒体である場合、３つの記録層１２のうち、レーザ光入射側から１層目（レイヤー０）と２層目（レイヤー１）の記録層は半透過性材料によって形成され、最も奥にある記録層１２（レイヤー２）は、高反射率材料によって形成される。また、ディスク１０がＲ（Recordable：追記型）媒体である場合、１層目（レイヤー０）および２層目（レイヤー１）の記録層は、記録膜と半透過膜が積層されたものとなっており、３層目（レイヤー２）の記録層は、記録膜と反射膜が積層されたものとなっている。
【００２５】
３つの記録層１２のうち、１層目（レイヤー０）と３層目（レイヤー２）の記録層１２は、それぞれ、トラックが形成された基板１１、１４の表面にスパッタ等によって形成される。そして、１層目（レイヤー０）の記録層１２上に紫外線硬化樹脂を塗布し、その上に、表面にトラックを有するスタンパを押し付けら、この状態で紫外線を照射して紫外線硬化樹脂を硬化させる。その後、スタンパを引き剥がすことにより、スタンパ上のトラックが転写された一つ目の中間層１３が形成される。
【００２６】
この中間層１３の上にさらに紫外線硬化樹脂を塗布し、その上に、記録層１２が形成された基板１４を、記録層１２側から重ね合わせる。その後、紫外線を照射して紫外線硬化樹脂を硬化させる。これにより、２つ目の中間層１３が形成され、この中間層１３を媒介として、基板１１と基板１４が貼り合わされる。ここで、２つの中間層１３は、波長４００ｎｍ程度の光に対する吸収率が低い紫外線硬化樹脂によって形成される。
【００２７】
なお、図１の構成では、１層目（レイヤー０）および２層目（レイヤー１）の記録層１２の距離と、２層目（レイヤー１）および３層目（レイヤー２）の記録層１２の距離は、ともにｄ１である。ここで、距離ｄ１は、層間クロストークを抑制するために、たとえば、１５〜４０μｍ程度に設定される。
【００２８】
図２は、光ピックアップ装置の構成（光学系）を示す図である。なお、同図（ａ）は、１／４波長板１０７および対物レンズ１０８を除く光学系の平面図、同図（ｂ）は、立ち上げミラー１０６、１／４波長板１０７および対物レンズ１０８の部分における光学系の側面図である。
【００２９】
半導体レーザ１０１は、波長４００ｎｍ程度のレーザ光を出射する。回折格子１０２は、半導体レーザ１０１から出射されたレーザ光を、メインビームと２つのサブビームに分割する。コリメートレンズ１０３は、回折格子１０２を介して入射されたレーザ光を平行光に変換する。偏光ビームスプリッタ１０４は、コリメートレンズ１０２側から入射するレーザ光を略全透過し、エキスパンダ１０５側から入射するレーザ光を略全反射する。
【００３０】
エキスパンダ１０５は、凹レンズと凸レンズの組み合わせからなり、このうち一方のレンズが収差アクチュエータ１３３によって光軸方向に駆動される。ここで、収差アクチュエータ１３３は、モータおよびウォームギア等を備え、記録層１２上におけるレーザ光の収差を補正するためのサーボ信号に応じて駆動される。
【００３１】
立ち上げミラー１０６は、エキスパンダ１０５側から入射されるレーザ光を対物レンズ１０８方向に反射する。１／４波長板１０７は、立ち上げミラー１０６側から入射されるレーザ光を円偏光に変換すると共に、対物レンズ１０８側から入射されるレーザ光（ディスク１０からの反射光）を、立ち上げミラー１０６側から入射される際のレーザ光の偏光方向に直交する直線偏光に変換する。対物レンズ１０８は、レーザ光を記録層１２上に収束させる。なお、ここでは、対物レンズ１０８のＮＡが０．６５とされている。
【００３２】
１／４波長板１０７と対物レンズ１０８は、共通のホルダ１３１に装着されている。ここで、ホルダ１３１は、対物レンズアクチュエータ１３２によって、フォーカス方向およびトラッキング方向に駆動される。対物レンズアクチュエータ１３２は、従来周知のコイルと磁気回路から構成され、このうちコイルがホルダ１３１に装着されている。この対物レンズアクチュエータ１３２にサーボ信号が供給されることにより、１／４波長板１０７と対物レンズ１０８が、ホルダ１３１と一体的に、フォーカス方向およびトラッキング方向に変位される。
【００３３】
アナモレンズ１０９は、偏光ビームスプリッタ１０４にて反射されたレーザ光（ディスク１０からの反射光）に非点収差を導入する。光検出器１１０は、アナモレンズ１０９によって収束されたレーザ光を受光して検出信号を出力する。なお、光検出器１１０には、メインビームを受光する４分割センサと、２つのサブビームをそれぞれ受光するセンサが配されている。光検出器１１０は、メインビームの光軸が４分割センサのセンサ分割線の交点位置を貫き、かつ、２つのサブビームがそれぞれ対応するセンサに適正に照射されるよう配置されている。
【００３４】
図３に、ディスク１０に対し記録再生を行う光ディスク装置の構成を示す。なお、この光ディスク装置は、上記図１に示すディスク１０の他、記録層の層数が２つ以下または４つ以上のディスクにも適応可能なものである。
【００３５】
図示の如く、光ディスク装置は、エンコーダ２０１と、変調回路２０２と、レーザ駆動回路２０３と、光ピックアップ装置２０４と、信号増幅回路２０５と、復調回路２０６と、デコーダ２０７と、サーボ回路２０８と、コントローラ２０９から構成されている。
【００３６】
エンコーダ２０１は、入力された記録データに対し誤り訂正符号の付加等のエンコード処理を施し、変調回路２０２へ出力する。変調回路２０２は、入力された記録データに所定の変調を施し、さらに記録信号を生成してレーザ駆動回路２０３に出力する。
【００３７】
レーザ駆動回路２０３は、記録時に、変調回路２０２からの記録信号に応じた駆動信号を光ピックアップ装置２０４内の半導体レーザ１０１に供給し、再生時に、一定パワーにてレーザ光を発光させるべく、光ピックアップ装置２０４内の半導体レーザ１０１に駆動信号を供給する。ここで、記録時および再生時のレーザパワーは、コントローラ２０９によってコントロールされる。コントローラ２０９は、記録時に、試し書きエリアに試し書きを行ってレーザ光を最適パワーに設定する。
【００３８】
光ピックアップ装置２０４は、上記図２に示す光学系を備えている。信号増幅回路２０５は、光ピックアップ装置２０４内の光検出器１１０における検出信号を増幅および演算処理して、再生ＲＦ信号、フォーカスエラー信号、トラッキングエラー信号等を生成し、これら信号を対応する回路に供給する。
【００３９】
なお、本実施の形態では、フォーカスエラー信号の生成手法として非点収差法が用いられ、トラッキングエラー信号の生成手法として３ビーム法が用いられる。光ピックアップ装置２０４内の光検出器１１０は、これら手法に対応するセンサパターンを有しており、また、信号増幅回路２０５も、これらセンサパターンからの信号をこれら手法に適応するよう演算処理してフォーカスエラー信号とトラッキングエラー信号を生成する。
【００４０】
復調回路２０６は、信号増幅回路２０５から入力された再生ＲＦ信号を復調して再生データを生成し、これをデコーダ２０７に出力する。デコーダ２０７は、復調回路２０６から入力されたデータに対し誤り訂正等のデコード処理を施し、後段回路に出力する。
【００４１】
サーボ回路２０８は、信号増幅回路２０５から入力されたフォーカスエラー信号およびトラッキングエラー信号からフォーカスサーボ信号およびトラッキングサーボ信号を生成し、光ピックアップ装置２０４内の対物レンズアクチュエータ１３２に出力する。この他、サーボ回路２０９は、記録再生動作時に、後述の如く、光ピックアップ装置２０４内の収差アクチュエータ１３３を駆動する。
【００４２】
コントローラ２０９は、ＣＰＵ（Central Processing Unit）とメモリを備え、メモリに各種データを格納するとともに、あらかじめメモリ内に格納された制御プログラムに従って各部を制御する。
【００４３】
なお、コントローラ２０９は、制御プログラムに従って、ディスク内に配された記録層の層数を判別する“層数判別処理”と、ディスク内に配された記録層のうち何れの記録層をイニシャル記録層（Ｌ０）とするかを決定する“記録層決定処理”と、再生移行前のスタンバイ状態において光ピックアップ装置２０４から照射されるレーザ光の焦点位置をイニシャル記録層（Ｌ０）に引き込む“再生先行処理”とを実行する。
【００４４】
図４は、ディスク装着時における光ディスク装置の動作を示すフローチャートである。このフローチャート中の処理のうち、Ｓ１０２が“記録層決定処理”であり、Ｓ１０４、Ｓ１０５、Ｓ１０６およびＳ１０７が“記録層決定処理”である。
【００４５】
ディスクが装着されると（Ｓ１０１：ＹＥＳ）、コントローラ２０９は、装着されたディスク内に記録層が何層配されているかを検出する（Ｓ１０２）。かかる検出は、たとえば、光ピックアップ装置２０４から照射されるレーザ光のフォーカス位置を、当該ディスクのレーザ光入射面よりも外側からディスク内方向にスキャンさせ、その際にフォーカスエラー信号上に現れるＳ字カーブの個数をカウントすることにより行われる。
【００４６】
しかして、記録層数が検出されると、コントローラ２０９は、光ピックアップ装置２０４を当該ディスクの管理情報記録位置にアクセスさせて、当該ディスクから管理情報を読み取り、読み取った管理情報をメモリに格納する（Ｓ１０３）。ここで、管理情報は、当該ディスクに記録された主情報を管理するための情報で、たとえば、当該ディスクに記録された各ファイルの開始アドレスや、記録セクタをリンクさせて一連の情報を構成するためのリンク情報等を含んでいる。
【００４７】
なお、かかる管理情報の読み取り時に、サーボ回路２０８は、コントローラ２０９からの指令を受けて、フォーカスサーチを実行し、光ピックアップ装置２０４から出射されるレーザ光の焦点位置を、管理情報を保持する記録層に引き込む。さらに、サーボ回路２０８は、光ピックアップ装置２０４内の対物レンズアクチュエータ１３２にフォーカスサーボ信号およびトラッキングサーボ信号を供給し、対物レンズ１０８に対するフォーカスサーボとトラッキングサーボを実行する。また、サーボ回路２０８は、管理情報読み取り時の再生ＲＦ信号をモニタし、再生ＲＦ信号が最良となるよう収差アクチュエータ１３３を制御する。
【００４８】
しかして、管理情報の読み取りがなされると、コントローラ２０９は、Ｓ１０２で検出した記録層数が３以上であるかを判別する（Ｓ１０４）。そして、記録層数が３層以上であれば（Ｓ１０４：ＹＥＳ）、積層方向に並んで配置されたこれら記録層のうち中央の記録層（Ｌｃ）を判別し（Ｓ１０５）、この記録層（Ｌｃ）をイニシャル記録層（Ｌｐ）に設定する（Ｓ１０６）。一方、当該ディスクの記録層数が２層以下であれば（Ｓ１０４：ＮＯ）、レーザ光入射面側から１層目（レイヤー０）の記録層をイニシャル記録層（Ｌｐ）に設定する（Ｓ１０７）。なお、“イニシャル記録層”とは、ディスク中に存在する記録層のうち、再生移行前のスタンバイ状態においてレーザ光の焦点位置が引き込まれる記録層のことである。
【００４９】
なお、Ｓ１０５では、Ｓ１０２にて検出された記録層の層数をｎとすると、レーザ光入射側から次式によって求まる順位の記録層を中央の記録層（Ｌｃ）として決定する。
【００５０】
Ｌｃ＝１＋ＩＮＴ（ｎ／２）  …（１）
ここで、ＩＮＴ（ｋ）は、ｋを超えない整数の中で最大の整数を求める関数である。
【００５１】
よって、装着されたディスクの記録層の層数が、３つ以上で且つ偶数であるとき、コントローラ２０９は、中央の２つの記録層のうち、レーザ光入射面側から見て奥側の記録層を中央の記録層（Ｌｃ）とする。たとえば、記録層の層数が４層の場合、コントローラ２０９は、レーザ光入射面側から３層目（レイヤー２）の記録層を中央の記録層（Ｌｃ）と判別する。
【００５２】
図５は、ディスク再生時における光ディスク装置の動作を示すフローチャートである。このフローチャート中の処理のうち、Ｓ２０１〜Ｓ２０４およびＳ２０７が“再生先行処理”である。
【００５３】
この処理フローでは、まず、光ディスク装置が再生移行前のスタンバイ状態に設定されたかが判別される（Ｓ２０１）。ここで、“スタンバイ状態”とは、たとえば、映画情報のメニュー画面が表示されている状態等、その後の操作によって再生動作へと移行する状態、すなわち、再生動作の前段階の状態のことをいう。ここで、再生動作移行前のどの段階までを「スタンバイ状態」に設定するかは、装置毎に適宜決定され得る。なお、ディスクが装着されて図４に示すフローが実行された場合は、その後、再生動作へと移行する可能性が高い。よって、通常、図４に示すフローが完了した状態は「スタンバイ状態」となる。
【００５４】
光ディスク装置が再生移行前のスタンバイ状態に設定されると（Ｓ２０１：ＹＥＳ）、コントローラ２０９は、サーボ回路２０８を制御して、光ピックアップ装置２０４から出射されるレーザ光の焦点位置を、図４のＳ１０６またはＳ１０７にて設定されたイニシャル記録層（Ｌｐ）に引き込ませる（Ｓ２０２）。これを受けて、サーボ回路２０８は、フォーカスサーチを実行し、光ピックアップ装置２０４から出射されるレーザ光の焦点位置を、イニシャル記録層（Ｌｐ）に引き込む。
【００５５】
たとえば、再生対象のディスクが図１に示すディスク１０であれば、レーザ光入射面から２層目（レイヤー１）の記録層がイニシャル記録層（Ｌｐ）に設定されているため、レーザ光の焦点位置は、レーザ光入射面から２層目（レイヤー１）の記録層に引き込まれる。また、再生対象のディスクが記録層を２層有するディスクあれば、レーザ光入射面から１層目（レイヤー０）の記録層がイニシャル記録層（Ｌｐ）に設定されているため、レーザ光の焦点位置は、レーザ光入射面から１層目（レイヤー０）の記録層に引き込まれる。
【００５６】
しかして、レーザ光の焦点位置がイニシャル記録層（Ｌｐ）に引き込まれると、コントローラ２０９は、サーボ回路２０８に対し、所定のトラックについてフォーカスサーボおよびトラッキングサーボと収差サーボを実行させる。これを受けて、サーボ回路２０８は、光ピックアップ装置２０４内の対物レンズアクチュエータ１３２にフォーカスサーボ信号およびトラッキングサーボ信号を供給し、対物レンズ１０８に対するフォーカスサーボとトラッキングサーボを実行する。また、サーボ回路２０８は、コントローラ２０９から指定されたトラックを読み取った時の再生ＲＦ信号をモニタし、再生ＲＦ信号が最良となるよう収差アクチュエータ１３３を制御する。その後、サーボ回路２０８は、これらサーボをＯＮ状態に維持しつつ、ディスク一周毎に１トラックジャンプを繰り返し、レーザ光の焦点位置が当該指定されたトラック上を繰り返し操作するよう光ピックアップ装置２０４を制御する。
【００５７】
これに並行して、コントローラ２０９は内蔵タイマーを起動し（Ｓ２０３）、その後、再生動作（所定ファイルの再生動作）が開始されたかを判別する（Ｓ２０４）。そして、コントローラ２０９は、タイマーの計測時間Ｔが所定の閾値時間Ｔｓを越えるまでに再生動作が開始されなければ（Ｓ２０４：ＮＯ、Ｓ２０７：ＹＥＳ）、イニシャル記録層（Ｌｐ）への引き込みを解除し、光ピックアップ装置２０４をＯＦＦ状態に設定する（Ｓ２０８）。この場合、コントローラ２０９は、Ｓ２０１にて、光ディスク装置が再度スタンバイ状態に設定されたかを判別する。そして、光ディスク装置が再度スタンバイ状態に設定されると（Ｓ２０１：ＹＥＳ）、上記と同様の処理を実行する。
【００５８】
一方、タイマーの計測時間Ｔが所定の閾値時間Ｔｓを越える前に再生動作が開始されると（Ｓ２０７：ＮＯ、Ｓ２０４：ＹＥＳ）、コントローラ２０９は、サーボ回路２０８を制御して、レーザ光の焦点位置を再生対象の記録層へ引き込ませる。これを受けて、サーボ回路２０８は、フォーカスサーチを実行し、レーザ光の焦点位置を、再生対象の記録層に引き込む（Ｓ２０５）。
【００５９】
その後、サーボ回路２０８は、光ピックアップ装置２０４内の対物レンズアクチュエータ１３２にフォーカスサーボ信号およびトラッキングサーボ信号を供給し、対物レンズ１０８に対するフォーカスサーボとトラッキングサーボを実行する。また、サーボ回路２０８は、管理情報読み取り時の再生ＲＦ信号をモニタし、再生ＲＦ信号が最良となるよう収差アクチュエータ１３３を制御する。
【００６０】
しかして、各種サーボがＯＮされると、当該記録層に対する再生動作が実行される（Ｓ２０６）。そして、再生動作が終了すると、Ｓ２０１に戻り、コントローラ２０９は、再度、光ディスク装置がスタンバイ状態になるのを待機する。
【００６１】
以上、本実施の形態によれば、再生対象のディスクが３つ以上の記録層を有する場合、再生移行前のスタンバイ状態において、レーザ光の焦点位置が積層方向に並ぶ記録層のうち中央の記録層に引き込まれる。このため、再生移行の際のレーザ光焦点位置の移動量を、最大でも、レーザ光入射面側に最も接近する記録層と当該入射面から最も離れた最奥部の記録層との間の距離の半分程度に抑えることができる。よって、再生対象のターゲット記録層がどの記録層であっても、レーザ光の焦点位置を迅速にターゲット記録層に引き込むことができ、再生開始までに要する時間を短縮することができる。
【００６２】
また、再生移行の際のエキスパンダ１０５の駆動量を最大ストロークの半分程度とすることができ、よって、エキスパンダ１０５の駆動状態をターゲットの記録層に対応する状態に迅速に調整することができる。故に、この点からも、再生移行の迅速化を図ることができる。
【００６３】
なお、本実施の形態において、光ディスクが、積層方向に３つ以上の記録層を備える場合には、これら記録層のうち少なくとも中央の記録層に、当該ディスクに記録された主情報を管理する管理情報が記録されるのが望ましい。
【００６４】
こうすると、ディスク装着時の初期動作（図４）からスタンバイ状態に移行する際に、レーザ光の焦点位置をイニシャル記録層（Ｌｐ）に円滑に引き込むことができるようになる。すなわち、中央の記録層に管理情報を保持させておくと、図４のＳ１０３において、中央の記録層が読み取られることとなり、この記録層が、Ｓ１０６にてイニシャル記録層（Ｌｐ）に設定される。このため、図４の初期動作からスタンバイ状態へと移行する際には、Ｓ１０３にて読み取りが行われた記録層に対する引き込み状態をそのまま継続すればよく、別途、イニシャル記録層（Ｌｐ）に対する引き込みを行う必要がない。よって、このように中央の記録層に管理情報を保持させておけば、図４の処理が完了した後のスタンバイ状態において、レーザ光の焦点位置をイニシャル記録層（Ｌｐ）に円滑に位置づけることができる。
【００６５】
図６および図７は、図１に示すディスク１０において中央の記録層１２（レイヤー１）に管理情報を保持させる場合のエリアフォーマットの構成例を示す図である。図６は、ディスク１０がＲＯＭ（再生専用）媒体である場合のエリアフォーマットの構成例であり、また、図７は、ディスク１０がＲ（追記型）媒体である場合のエリアフォーマットの構成例である。なお、ここでは、互換が取れるように、ＲＯＭ媒体とＲ媒体のエリアフォーマットを同じとしている。
【００６６】
まず、図６を参照して、ディスク１０がＲＯＭ媒体である場合、レーザ光入射面から１層目（レイヤー０）の記録層１２は、ディスク内周側から順に、バーストカッティングエリア（ＢＣＡ）、システムミドルエリア、コネクションエリア、インナーミドルエリア、データエリア、データリードアウトエリアにエリア分割される。
【００６７】
また、レーザ光入射面から２層目（レイヤー１）の記録層１２は、ディスク内周側から順に、システムリードインエリア、コネクションエリア、データリードインエリア、データエリア、アウターミドルエリアにエリア分割される。
【００６８】
さらに、レーザ光入射面から３層目（レイヤー２）の記録層１２は、ディスク内周側から順に、システムミドルエリア、コネクションエリア、インナーミドルエリア、データエリア、アウターミドルエリアにエリア分割される。
【００６９】
ＢＣＡには、当該ディスクに関する所定の情報が記録されている。具体的には、BCA_IDや、当該ディスクが準拠する規格書のブック番号等の情報が記録される。かかる情報は、記録層１２をディスク円周方向に間欠的に消失させることによって記録される。なお、記録層１２の消失は、たとえば、高パワーレーザを用いて焼き切ることによって行われる。なお、レイヤー１とレイヤー２には、ＢＣＡが配置されていない。レイヤー１のＢＣＡに対応する領域は、記録層１２がそのまま残った状態となっている。
【００７０】
ＢＣＡ上にビームスポットを位置づけると、記録層１２の消失部分と非消失部分に応じて、反射光に明暗が生じる。この明暗の変化を復調することにより、ＢＣＡに記録された情報が再生される。
【００７１】
システムリードインエリアには、ディスク１０の物理パラメータ（ピットサイズ、トラックピッチ、等）に関する情報と、ディスク１０内の主情報を管理するための管理情報が記録されている。また、データリードインエリアにも、システムリードインエリアと同じ情報が記録されている。この場合、光ディスク装置は、図４のＳ１０３において、システムリードインエリアとデータリードインエリアの何れか一方にアクセスして管理情報を取得できる。
【００７２】
コネクションエリアは、平坦な鏡面となっている。データエリアには、主情報が記録されている。システムミドルエリア、インナーミドルエリア、アウターミドルエリア、データリードアウトエリアには、それぞれ所定の情報が記録されている。たとえば、これらのエリアには、自身がどのレイヤーの何れのエリアに属するかを示す属性情報（エリアタイプ）が記録されている。この属性情報は、システムリードインエリア、データリードインエリア、データエリアにも同様に記録されている。
【００７３】
これらの属性情報により、光ディスク装置は、再生位置がどのエリア内にあるかを判別することができる。たとえば、光ディスク装置は、データリードインエリアにアクセスする際に誤ってインナーミドルエリアにアクセスしても、直ちに誤アクセスを判別でき、また、アクセス先のレイヤーが、データリードインを含むレイヤー（レイヤー１）であるかを明確に区分することができる。
【００７４】
ＢＣＡよりも外周側の各エリアには、螺旋状にピット列が形成されており、このピット列によりトラックが構成されている。ここで、システムリードインエリアとシステムミドルエリアのトラックピッチは、コネクションエリアより外周側の各エリアのトラックピッチよりも広くなっている。このようにシステムリードインエリアとシステムミドルエリアのトラックピッチを広くすることにより、特に、システムリードインエリアに記録された情報（物理パラメータに関する情報、管理情報）を、光ディスク装置において確実に読み取り得るようにすることができる。また、コネクションエリアより外周側のエリアのトラックピッチを狭くすることにより、当該エリアの記録密度を高めることができ、ディスクの記録容量を高めることができる。
【００７５】
各エリアのピット長は、下表のとおりである。このように同じ半径位置でトラックピッチ等の物理パラメータを等しくすると、各記録層に対するＳ字カーブが同じ物理パラメータのもとで生じるため、記録層の判別が行い易くなる。
【００７６】
【表１】
2009181614.tif 000003
【００７７】
当該ディスク１０において、データ（主情報）は、中央の記録層１２（レイヤー１）の内周部から記録が開始されている。そして、この記録層１２（レイヤー１）の最外周まで主情報が続き、その後、最上部の記録層１２（レイヤー２）の外周から内周へと主情報が続いている。そして、最下部の記録層１２（レイヤー０）の内周から外周へと主情報が続き、データリードアウトエリアに至っている。
【００７８】
このような光ディスク構成とすることで、イニシャル記録層からターゲット記録層へのジャンプ距離と、ターゲット記録層からイニシャル記録層へのジャンプ距離を、最大ｄ１の範囲とすることができ、かかるジャンプ動作に伴って生じるエキスパンダ１０５の駆動量を小さくすることができる。
【００７９】
再生開始時には、レーザ光の収束位置がイニシャル記録層からターゲット記録層にジャンプされ、また、再生終了時には、レーザ光の収束位置がターゲット記録層からイニシャル記録層にジャンプされる。このように、頻繁に行われる再生動作に伴い、その都度、イニシャル記録層とターゲット記録層との間でジャンプが行われ、さらにこれに伴って、エキスパンダ１０５の駆動が行われる。このとき、ジャンプ距離が大きいと、エキスパンダ１０５を大きなストロークにて瞬時に駆動しなければならず、エキスパンダ１０５の駆動による発熱量が大きくなり、また、エキスパンダ１０５駆動時に摩擦等によって粉塵が生じる惧れがある。
【００８０】
これに対し、上記のように中央の記録層をイニシャル記録層に設定すると、このように頻繁に生じるジャンプ動作の際のジャンプ距離を最大ｄ１の範囲とすることができ、エキスパンダ１０５の駆動ストロークを、最大でも、この距離ｄ１に応じたストロークの範囲に抑えることができる。よって、エキスパンダ１０５の発熱を抑制でき、かつ、摩擦による粉塵の発生を抑制することができる。
【００８１】
ディスク１０がＲ（追記型）媒体である場合、図７に示す如く、エリアフォーマットは、図６に示すＲＯＭ媒体の場合のエリアフォーマットと同じである。各エリアには、ＲＯＭ媒体である場合に各エリアに記録される情報と同様の情報が記録されている。
【００８２】
ただし、ディスク１０がＲ（追記型）媒体である場合には、コネクションエリアよりも外側のエリアにおいて、各レイヤーには、ピット列に替えて螺旋状のグルーブが形成され、このグルーブ上に、システムリードイン情報に加え、記録済みアドレス等の各種情報が記録される。なお、ディスク１０がＲ（追記型）媒体である場合にも、システムリードインエリアとシステムミドルエリアには、ディスク１０がＲＯＭ媒体である場合と同様、螺旋状にピット列が形成され、このピット列によって、各種情報が記録されている。
【００８３】
ディスク１０がＲ（追記型）媒体である場合、光ディスク装置は、中央の記録層１２（レイヤー１）の内周部から外周に向かって記録を進める。そして、この記録層１２（レイヤー１）のデータエリアが記録に用い尽されると、光ディスク装置は、最上部の記録層１２（レイヤー２）の外周から内周に向かって記録を進め、さらに、この記録層１２（レイヤー２）のデータエリアが記録に用い尽されると、最下部の記録層１２（レイヤー０）の内周から外周に向かって記録を進める。光ディスク装置は、１回の記録が終了する毎に、主情報を管理する管理情報を更新し、これをデータリードインエリアに書込む。よって、最新の管理情報は、中央の記録層（レイヤー１）に配されたリードインエリアに記録されている。
【００８４】
図６および図７のエリアフォーマットでは、システムリードインエリアとデータリードインエリアが中央の記録層１２（レイヤー１）に保持されているため、このエリアフォーマットを有するディスク１０を本実施の形態に係る光ディスク装置にて再生すると、上述の如く、ディスク装着時の初期動作（図４）からスタンバイ状態に移行する際に、レーザ光の焦点位置をイニシャル記録層（Ｌｐ）に円滑に引き込むことができる。
【００８５】
すなわち、図６および図７のエリアフォーマットを有するディスク１０を光ディスク装置に装着すると、図４のＳ１０３において、中央の記録層１２（レイヤーＬ１）が読み取られることとなり、この記録層１２（レイヤーＬ１）が、Ｓ１０６にてイニシャル記録層（Ｌｐ）に設定される。このため、図４の初期動作からスタンバイ状態へと移行する際には、Ｓ１０３にて読み取りが行われた中央の記録層１２１２（レイヤーＬ１）に対する引き込み状態をそのまま継続すればよく、別途、特別な引き込み動作を行う必要がない。よって、ディスク１０のエリアフォーマットを図６および図７のように構成すると、図４の処理が完了した後のスタンバイ状態において、レーザ光の焦点位置をイニシャル記録層（Ｌｐ）に円滑に位置づけることができる。
【００８６】
なお、上記では、ディスク１０が３つの記録層１２を有する場合のエリアフォーマットを示したが、図８に示すように、ディスク１０が４つの記録層１２を有する場合も想定され得る。このようにディスク１０が４つの記録層１２を有する場合、エリアフォーマットは、たとえば、図９および図１０のように変更され得る。図９は、ディスク１０がＲＯＭ（再生専用）媒体である場合のエリアフォーマットの構成例であり、また、図１０は、ディスク１０がＲ（追記型）媒体である場合のエリアフォーマットの構成例である。
【００８７】
なお、ディスク１０がＲＯＭ媒体である場合、Ｒ媒体との互換を考慮しなければ、別途データリードインを配さずとも、システムリードインエリアの情報をもとに再生が可能である。よって、ＲＯＭ媒体においては、エリアフォーマットから、適宜、データリードインエリアを省略することも可能である。
【００８８】
この点から、図９のエリアフォーマットでは、データリードインエリアが省略され、データエリアが拡張されている。ここでは、ディスク１０の物理パラメータ（ピットサイズ、トラックピッチ、等）に関する情報と、ディスク１０内の主情報を管理するための管理情報が、リードインエリアに保持されている。インナーミドルエリア、アウターミドルエリアおよびリードアウトエリアには、上記図６の場合と同様、エリアの属性情報が記録されている。この属性情報は、リードインエリアにも保持されている。なお、上記図６のエリアフォーマットにおいても、図９のエリアフォーマットと同様、データリードインエリアを省略して、データエリアを拡張しても良い。
【００８９】
図９のエリアフォーマットでは、データ（主情報）の記録開始位置が、中央の２つの記録層１２（レイヤー１、レイヤー２）のうち奥側の記録層１２（レイヤー２）のデータエリア開始位置に設定されている。そして、この記録層１２（レイヤー２）の最外周へと主情報が続き、その後、最上部の記録層１２（レイヤー３）の外周から内周へと主情報が続く。そして、最下部の記録層１２（レイヤー０）の内周から外周へと主情報が続き、さらに、下から２番目の記録層（レイヤー１）の外周から内周へと主情報が続いて、データリードアウトエリアに至る。
【００９０】
図１０のエリアフォーマット（ディスク１０がＲ媒体である場合のエリアフォーマット）は、図７のエリアフォーマットに記録層（レイヤー）が一つ追加されたものとなっている。図１０の各エリアには、図７の対応するエリアと同様の情報が保持される。図１０のエリアフォーマットでは、中央の２つの記録層１２（レイヤー１、レイヤー２）のうち奥側の記録層１２（レイヤー２）の内周部に、システムリードインエリアとデータリードインエリアが設定されている。
【００９１】
光ディスク装置は、中央の記録層１２（レイヤー２）の内周部から外周に向かって記録を進める。そして、この記録層１２（レイヤー２）のデータエリアが記録に用い尽されると、最上部の記録層１２（レイヤー３）の外周から内周に向かって記録を進め、さらに、この記録層１２（レイヤー３）のデータエリアが記録に用い尽されると、最下部の記録層１２（レイヤー０）の内周から外周に向かって記録を進める。そして、この記録層１２（レイヤー０）のデータエリアが記録に用い尽されると、下から２番目の記録層１２（レイヤー１）の外周から内周に向かって記録を進める。光ディスク装置は、１回の記録が終了する毎に、主情報を管理する管理情報を更新し、これをデータリードインエリアに書込む。よって、最新の管理情報は、中央の記録層（レイヤー２）に配されたリードインエリアに記録されている。
【００９２】
図９および図１０のエリアフォーマットにおいても、システムリードインエリアとデータリードインエリアが中央の記録層１２（レイヤー２）に保持されているため、このエリアフォーマットを有するディスク１０を本実施の形態に係る光ディスク装置にて再生すると、上記図７および図８の場合と同様、ディスク装着時の初期動作（図４）からスタンバイ状態に移行する際に、レーザ光の焦点位置をイニシャル記録層（Ｌｐ）に円滑に引き込むことができる。
【００９３】
図１１に、記録層１２を３層以上有する未記録のディスクに対して記録を行う場合の処理フローを示す。なお、このディスクが装着された場合も、図４の処理フローが実行され、当該ディスクの記録層１２の層数が検出される。
【００９４】
当該ディスクに対する記録動作が開始されると、コントローラ２０９は、図４のＳ１０２で検出された記録層の層数をもとに中央の記録層（Ｌｃ）を判別し、この記録層（Ｌｃ）を記録開始の記録層（Ｌｓ）に設定する（Ｓ３０１）。ここで、中央の記録層（Ｌｃ）は、図４のＳ１０５と同様、上記式（１）に基づいて設定される。
【００９５】
しかして、記録開始の記録層（Ｌｓ）が設定されると、コントローラ２０９は、サーボ回路２０８を制御して、レーザ光の焦点位置を記録開始の記録層（Ｌｓ）に引き込ませる（Ｓ３０２）。さらに、コントローラ２０９は、記録層（Ｌｓ）の内周部にデータリードインエリアを設定し（Ｓ３０３）、各部を制御して、データリードインエリアに続くデータエリアの始端からディスク外周に向かって記録を実行する（Ｓ３０４）。
【００９６】
かかる記録動作を実行しつつ、コントローラ２０９は、記録層（Ｌｓ）の記録容量が記録に用い尽くされたかを判別する（Ｓ３０５）。そして、記録層（Ｌｓ）の記録容量が残っていれば（Ｓ３０５：ＹＥＳ）、記録動作が終了したかを判別し（Ｓ３０６）、記録動作が終了していなければ（Ｓ３０６：ＮＯ）、記録層（Ｌｓ）に対する記録動作を継続する（Ｓ３０４）。一方、記録層（Ｌｓ）の記録容量が用い尽されると（Ｓ３０５：ＮＯ）、他に記録可能な記録層が残っているかを判別し（Ｓ３０７）、他に記録可能な記録層が残っていれば（Ｓ３０７：ＹＥＳ）、コントローラ２０９は、次の記録層に対する引き込み動作を実行し（Ｓ３０８）、この記録層に対して記録を実行する（Ｓ３０４）。
【００９７】
しかる後、記録動作が終了し（Ｓ３０６：ＹＥＳ）、あるいは、記録可能な記録層が存在しなくなると（Ｓ３０７：ＮＯ）、コントローラ２０９は、記録した主情報について管理情報を生成し、これを、記録層（Ｌｓ）に設定したデータリードインエリアに記録する（Ｓ３０９）。これにより、当該記録時の処理が終了する。
【００９８】
図１１に示す処理フローに従って記録を行うと、データリードインエリアが中央の記録層１２に保持される。このため、このディスク１０を本実施の形態に係る光ディスク装置にて再生すると、上記図７および図８の場合と同様、ディスク装着時の初期動作（図４）からスタンバイ状態に移行する際に、レーザ光の焦点位置をイニシャル記録層（Ｌｐ）に円滑に引き込むことができる。
【００９９】
図１２は、図８に示すディスク１０の変更例を示す図である。上記図８の構成例では、隣り合う記録層１２間の距離が一定（ｄ１）であったが、図１２の構成例では、２層目と３層目の間隔ｄ２が、間隔ｄ１よりも広げられている。こうすると、以下のように、レーザ光の焦点位置を３層目の記録層、すなわち、イニシャル記録層（Ｌｐ）に引き込み易くなる。
【０１００】
図１３（ａ）は、図８に示すディスク１０において、レーザ光の焦点位置をレーザ光入射面側からディスク内方向に一定速度で移動させたときのフォーカスエラー信号の状態を模式的に示す図である。
【０１０１】
図示の如く、レーザ光の焦点位置がレーザ光入射面から１つ目の記録層１２（レイヤー０）、２つ目の記録層１２（レイヤー１）、３つ目の記録層１２（レイヤー２）および４つ目の記録層１２（レイヤー３）にそれぞれ差し掛かる際に、フォーカスエラー信号上にＳ字カーブＳ０、Ｓ１、Ｓ２、Ｓ３が生じる。これらＳ字カーブＳ０、Ｓ１、Ｓ２、Ｓ３が基準レベル（Ｓ字カーブが現れる前後の区間におけるフォーカスエラー信号のレベル）とクロスする位置Ｆ０、Ｆ１、Ｆ２、Ｆ３が、レイヤー０、レイヤー１、レイヤー２、レイヤー３に対するレーザ光のオンフォーカス位置である。
【０１０２】
ここで、Ｓ字カーブＳ０、Ｓ１、Ｓ２、Ｓ３の発生区間Ｌ０、Ｌ１、Ｌ２、Ｌ３の間には、繋ぎの区間ＭＬａ、ＭＬｂ、ＭＬｃが存在する。かかる区間ＭＬａ、ＭＬｂ、ＭＬｃにおいて、レーザ光の焦点位置は、記録層１２間に配された中間層１３を移動しており、理想的には、区間ＭＬａ、ＭＬｂ、ＭＬｃのフォーカスエラー信号は平坦となる。しかし、本実施の形態のように記録層１２間の間隔ｄ１が１５〜４０μｍ程度に設定された場合、区間ＭＬａ、ＭＬｂ、ＭＬｃのフォーカスエラー信号は、同図（ａ）に示す如く、平坦とはならず、基準レベルから持ち上がりつつ斜めに傾くようになる。このため、Ｓ字カーブを分離し難くなり、よって、レーザ光の焦点位置を各記録層に引き込むのが難しくなる。
【０１０３】
特に、２層目の記録層（レイヤー１）と３層目の記録層（レイヤー２）のＳ字カーブは、その上下の記録層からの迷光の影響によって、図１３（ａ）に示す如く波形が劣化し易く、このため、図８に示すディスク１０では、特に、レーザ光の焦点位置を２層目の記録層（レイヤー１）と３層目の記録層（レイヤー２）に引き込み難い。このため、上記実施の形態のように、イニシャル記録層（Ｌｐ）が３層目の記録層（レイヤー２）に設定される場合には、スタンバイ状態においてイニシャル記録層（Ｌｐ）への引き込みに手間取り、再生動作に円滑に移行できない惧れがある。
【０１０４】
これに対し、図１２の構成例のように２層目と３層目の間隔ｄ２を広げると、図１３（ｂ）に示す如く、区間ＭＬｂが広くなり、３層目の記録層（レイヤー２）に対するＳ字カーブを判別し易くなる。よって、レーザ光の焦点位置を３層目の記録層（レイヤー２）に引き込み易くなる。
【０１０５】
また、このように２層目と３層目の間隔ｄ２を広げると、２層目の記録層（レイヤー１）については３層目の記録層（レイヤー２）からの迷光の影響が抑制され、また、３層目の記録層（レイヤー２）については２層目の記録層（レイヤー１）からの迷光の影響が抑制される。このため、図１３（ｂ）に示す如く、２層目と３層目の記録層のＳ字カーブにおける波形劣化が抑制され、２層目と３層目の記録層にレーザ光の焦点位置を引き込み易くなる。
【０１０６】
このように、図１２の構成例の如く２層目と３層目の間隔ｄ２を広げると、レーザ光の焦点位置を３層目の記録層（レイヤー２）に引き込み易くなる。このため、上記実施の形態のように、イニシャル記録層（Ｌｐ）が３層目の記録層（レイヤー２）に設定される場合には、スタンバイ状態においてイニシャル記録層（Ｌｐ）への引き込みを迅速に行うことができ、よって、スタンバイ状態から再生動作に円滑に移行することができる。
【０１０７】
なお、図１２の構成例では、記録層の層数が４層であるため、２層目と３層目の間隔ｄ２を広げたが、記録層の層数が３層の場合や、５層以上である場合には、イニシャル記録層（Ｌｐ）と、この記録層に対してレーザ光入射面に１層だけ接近した位置の記録層との間隔を広げることにより、上記と同様の効果が奏され得る。
【０１０８】
また、イニシャル記録層（Ｌｐ）と、この記録層に対してレーザ光入射面側から１層だけ離れた記録層との間隔を広げるようにしても、イニシャル記録層（Ｌｐ）に対するＳ字カーブの波形劣化を抑制できる。また、この場合には、イニシャル記録層（Ｌｐ）に対するＳ字カーブとこの記録層に対してレーザ光入射面側から１層だけ離れた記録層に対するＳ字カーブとの間の平坦区間が広がるため、イニシャル記録層（Ｌｐ）に対するＳ字カーブを円滑に判別できる。よって、レーザ光の焦点位置をイニシャル記録層（Ｌｐ）に円滑に引き込むことができる。
【０１０９】
ただし、この場合には、イニシャル記録層（Ｌｐ）のＳ字カーブの次に長い平坦区間が現れるため、このＳ字カーブが行き過ぎた後に、これがイニシャル記録層（Ｌｐ）のＳ字カーブであると判別される。よって、上記のように、イニシャル記録層（Ｌｐ）と、この記録層に対してレーザ光入射面に１層だけ接近した位置の記録層との間隔を広げる場合に比べて、イニシャル記録層（Ｌｐ）に対する引き込み時間がやや長くなる。
【０１１０】
なお、上記実施の形態では、記録層の層数が３層以上で偶数の場合、中央の２つの記録層のうち奥側の記録層をイニシャル記録層としたが、これは、以下の理由によるものである。すなわち、たとえば図８のように記録層が４層の場合、通常、基板１１側と基板１４側にそれぞれ２層ずつ記録層１２を形成した後、これらを中央の中間層１３を接着層として互いに貼り合わせてディスク１０が形成される。このため、中央の中間層１３は、通常、他の中間層１３に比べて光学特性が悪く、よって、中央の中間層１３に接する奥側の記録層１２は、４つの記録層１２のうち最も再生性能が悪くなる。この理由から、連続再生時に、中央の２つの記録層１２のうち奥側の記録層１２にジャンプを行うと、この記録層１２に対してレーザ光を迅速に引き込めずに、連続再生に支障が生じる惧れもある。
【０１１１】
このとき、イニシャル記録層を中央の２つの記録層１２のうち手前の記録層１２に設定すると、再生開始時に、再生性能の悪い奥側の記録層１２をターゲット記録層としてジャンプを行う場面が生じる可能性があり、この場合、上記理由から再生開始までに時間が掛かってしまう惧れがある。これに対し、上記のように中央の２つの記録層１２のうち奥側の記録層１２をイニシャル記録層とすると、仮に、ターゲット記録層が当該奥側の記録層１２であっても、既にイニシャル記録層として引き込みが完了しているため、新たにジャンプ動作を行う必要はなく、再生動作に円滑に移行することができる。このような理由から、本実施の形態では、記録層の層数が３層以上で偶数の場合、中央の２つの記録層のうち奥側の記録層をイニシャル記録層として設定している。
【０１１２】
以上、本発明の実施形態およびその変更例について説明したが、本発明は、これらに制限されるものではなく、また、本発明の実施形態も、上記以外に種々の変更が可能である。
【０１１３】
たとえば、上記実施の形態では、Ｓ字カーブの個数をもとに記録層の層数を検出するようにしたが、ディスクタイプや記録層の層数に関する情報をＢＣＡに保持させ、ＢＣＡを読み取ることにより記録層の層数を判別するようにしても良い。この場合、ＢＣＡを迅速かつ適正に読み取れるよう、ＢＣＡは、図６、図７、図９、図１０に示す如く、レーザ光入射面側から１層目（レイヤー０）の記録層に保持させるようにすると良い。
【０１１４】
特に、記録層の層数が増加すると、収差の影響から、エキスパンダ１０５を固定した状態では奥側の記録層に対するＳ字カーブがかなり劣化し、奥側の記録層にレーザ光の焦点位置を引き込むのに時間を要してしまう。この場合、上記のようにＳ字カーブの個数をもとに記録層の層数を検出すると、層数検出に時間を要してしまう。よって、記録層を多数（たとえば、１０層以上）配する場合には、ＢＣＡをなるべく手前の記録層に配し、望ましくは、一番手前の記録層（レイヤー０）にＢＣＡを配するのが良い。
【０１１５】
ただし、あらかじめエキスパンダ１０５を奥側に設定する場合には、ＢＣＡを一番奥の記録層に設定しても良く、また、ＢＣＡの再生を行い易くするために、ＢＣＡが配されている半径位置には、他の記録層にＢＣＡを配さないようにするのが良い。
【０１１６】
また、システムリードイン情報中に記録層の層数に関する情報を記録しておき、これを読み取って記録層の層数を判別するようにしても良い。さらにＳ字カーブの個数と、ＢＣＡから読み取った情報およびシステムリードイン情報を適宜比較して記録層の層数を判別するようにしても良い。こうすることで、層数の誤判別を防止することができる。
【０１１７】
また、上記実施の形態では、記録可能なディスクとしてＲタイプ（追記型）のディスクを示したが、ＲＷ（Rewritable）タイプ（書き換え可能型）のディスクに３層以上の記録層を配する場合にも、上記実施の形態と同様に記録／再生し、また、上記と同様のデータフォーマットを適用すれば良い。
【０１１８】
さらに、図２の光学系は、ピンホールにて迷光を抑制する構成となっていないが、アナモレンズ１０９と光検出器１１０の間にピンホールを配し、このピンホールによって迷光を除去するようにしても良い。この場合、ピンホールは、ターゲットの記録層からの反射光のスポットが最小となる位置に配される。
【０１１９】
なお、本発明は、上記表１および図６、７、９、１０に示した光ディスクに限らず種々の多層光ディスクおよびその記録再生装置に適用可能である。たとえば、高ＮＡの光学系および波長が４２０ｎｍ以下のレーザ光が使用される多層光ディスクでは、層間距離が短くなってクロストークの影響が大きくなるが、このような場合にも本発明は有益である。
【０１２０】
この他、本発明の実施の形態は、特許請求の範囲に示された技術的思想の範囲内において、適宜、種々の変更が可能である。
【図面の簡単な説明】
【０１２１】
【図１】実施の形態に係る光ディスクの層構造を示す図
【図２】実施の形態に係る光ピックアップ装置の光学系を示す図
【図３】実施の形態に係る光ディスク装置の構成を示す図
【図４】実施の形態に係るディスク装着時における動作を示すフローチャート。
【図５】実施の形態に係る再生動作時における動作を示すフローチャート。
【図６】実施の形態に係る光ディスクのエリアフォーマットを示す図
【図７】実施の形態に係る光ディスクのエリアフォーマットを示す図
【図８】実施の形態に係る光ディスクの層構造を示す図
【図９】実施の形態に係る光ディスクのエリアフォーマットを示す図
【図１０】実施の形態に係る光ディスクのエリアフォーマットを示す図
【図１１】実施の形態に係る記録動作時における動作を示すフローチャート。
【図１２】実施の形態に係る光ディスクの層構造を示す図
【図１３】実施の形態に係る光ディスクの効果を説明する図
【符号の説明】
【０１２２】
１０  光ディスク
１２  記録層
２０４  光ピックアップ装置
２０８  サーボ回路
２０９  コントローラ
【図１】
2009181614.tif 000004
【図２】
2009181614.tif 000005
【図３】
2009181614.tif 000006
【図４】
2009181614.tif 000007
【図５】
2009181614.tif 000008
【図６】
2009181614.tif 000009
【図７】
2009181614.tif 000010
【図８】
2009181614.tif 000011
【図９】
2009181614.tif 000012
【図１０】
2009181614.tif 000013
【図１１】
2009181614.tif 000014
【図１２】
2009181614.tif 000015
【図１３】
2009181614.tif 000016